(57)【要約】【課題】従来の電池残量表示では、電池の劣化や温度変化を考慮した詳細な表示が行われていないため、使用者は使用可能な時間を正確に得ることができない。また、ユーザデータが新規に登録される都度、不揮発性メモリへの書き込みを行っているため、無駄に電池を消耗してしまい、使用可能時間を縮小している。【解決手段】電池６の端子電圧に対する当該電池６の残容量を示すデータを制御部４で随時更新することにより、電池６の劣化に関係なく当該電池６の使用可能容量を正確に求め、更に電波状態や温度検出部７で検出した温度も考慮することによって使用可能時間を精度良く算出・表示する。また、不揮発性の内部メモリ（フラッシュメモリ）４ａへのユーザデータのバックアップを制御部４がまとめて行うことにより、バックアップに用いられる消費電力を減少し、使用可能時間を延長する。【選択図】　　　　図１
2004056563.tif 000002
【特許請求の範囲】
【請求項１】
電池駆動の携帯電話機であって、
前記電池の端子電圧に対する当該電池の残容量を示すデータを随時更新しながら当該携帯電話機の使用可能時間を算出するための制御部と、
前記算出された使用可能時間を表示するための表示部とを備えたことを特徴とする携帯電話機。
【請求項２】
請求項１記載の携帯電話機において、
前記電池付近の温度を検出するための温度検出部を更に備え、
前記制御部は、前記残容量を示すデータを前記検出された温度に従って補正する機能を更に有することを特徴とする携帯電話機。
【請求項３】
請求項１記載の携帯電話機において、
前記制御部は、当該携帯電話機の電波状態に応じて必要とされる前記電池の電流の大きさに基づいて当該携帯電話機の使用可能時間を算出する機能を更に有することを特徴とする携帯電話機。
【請求項４】
電池駆動の携帯電話機であって、
前記電池の端子電圧及び電流を測定するための制御部と、
前記測定された端子電圧及び電流を外部装置へ通知し、かつ当該外部装置で前記電池の端子電圧に対する当該電池の残容量を示すデータを随時更新しながら算出された当該携帯電話機の使用可能時間の通知を受けるための送受信部と、
前記通知された使用可能時間を表示するための表示部とを備えたことを特徴とする携帯電話機。
【請求項５】
請求項４記載の携帯電話機において、
前記電池付近の温度を検出するための温度検出部を更に備え、
前記送受信部は、前記残容量を示すデータが前記検出された温度に従って前記外部装置で補正されるように、前記検出された温度を前記外部装置へ通知する機能を更に有することを特徴とする携帯電話機。
【請求項６】
請求項４記載の携帯電話機において、
前記送受信部は、当該携帯電話機の電波状態に応じて必要とされる前記電池の電流の大きさに基づいて当該携帯電話機の使用可能時間が前記外部装置で算出されるように、当該携帯電話機の電波状態を前記外部装置へ通知する機能を更に有することを特徴とする携帯電話機。
【請求項７】
電池駆動の携帯電話機であって、
前記電池の残り使用可能容量の大きさに応じてユーザデータのバックアップ作業の頻度が低減されるように制御するための制御部を備えたことを特徴とする携帯電話機。
【請求項８】
請求項７記載の携帯電話機において、
前記制御部は、前記電池の使用可能容量が前記バックアップ作業に必要な容量より十分に大きい場合には当該バックアップ作業を延期する機能を有することを特徴とする携帯電話機。
【請求項９】
請求項７記載の携帯電話機において、
前記ユーザデータのバックアップ先を、当該携帯電話機の内部メモリ、加入者情報を管理するホームメモリ、当該ホームメモリ以外の外部メモリの中から選択できるように構成されたことを特徴とする携帯電話機。
【請求項１０】
請求項７記載の携帯電話機において、
前記制御部は、前記ユーザデータのバックアップ先のメモリ残容量が不足する場合には、前記ユーザデータ中の不要なデータを検索・削除する機能を更に有することを特徴とする携帯電話機。
【発明の詳細な説明】
【０００１】
【発明の属する技術分野】
本発明は、電池で駆動される携帯電話機における使用可能時間表示及びユーザデータのバックアップに関するものである。
【０００２】
【従来の技術】
特開平１１−５５３７２号公報には、携帯電話機において、電池の端子電圧に対する使用可能時間（通話可能時間及び待ち受け可能時間）のデータを予めＲＯＭに記憶しておき、電池残量に対応した当該携帯電話機の使用可能時間を電池端子電圧の測定値から得て表示する技術が開示されている。この技術によれば、フル充電状態に対する電池残量を電池端子電圧に応じて数段階のレベルに分けて表示する場合に比べて、使い勝手が向上する。
【０００３】
一方、携帯電話機では、通信パラメータ、音声メモ、電話帳、メールデータ等のユーザデータが発生する。これらのユーザデータは、ＤＲＡＭ、ＳＲＡＭ等の揮発性メモリ内に一旦登録された後、フラッシュメモリ等の不揮発性メモリ内にバックアップがとられる。
【０００４】
特開２０００−７８０７０号公報には、携帯電話機におけるユーザデータのバックアップ先を移動体通信ネットワーク上のメモリバックアップセンタ（例えば、無線基地局）とする技術が開示されている。この技術によれば、定期的にユーザデータのバックアップをとることで、当該携帯電話機を紛失した場合にも必要なデータを別の携帯電話機によってネットワーク上から得ることができるので、使い勝手が向上する。
【０００５】
【発明が解決しようとする課題】
上記従来の使用可能時間表示技術では、予めＲＯＭに記憶しておいたデータを用いるため、電池の劣化やその温度変化に起因して当該電池に特性変化が生じた場合、正確な使用可能時間を得ることができなかった。
【０００６】
また、上記のようなユーザデータのバックアップ作業が頻繁に行われると、無駄に電池を消耗してしまう。例えば、バックアップ先をフラッシュメモリとする場合には、ブロック単位での書き込みしか許されていないため、書き換える必要のあるデータがたとえ１バイトであっても、例えば数十バイトの単位でしか書き込みを行うことができず、数十バイト分の書き込み電力を消費することとなる。したがって、新たなユーザデータが登録される都度フラッシュメモリへのバックアップ作業を行うこととすると、甚だしく電池が消耗して使用可能時間が短くなる。
【０００７】
本発明の第１の目的は、携帯電話機の使用可能時間を精度良く算出・表示することにある。
【０００８】
本発明の第２の目的は、携帯電話機におけるユーザデータのバックアップ作業に起因した電池の消耗を抑制し、以て使用可能時間を延長することにある。
【０００９】
【課題を解決するための手段】
上記第１の目的を達成するために、請求項１の発明に係る携帯電話機は、電池の端子電圧に対する当該電池の残容量を示すデータを随時更新しながら当該携帯電話機の使用可能時間を算出するための制御部と、算出された使用可能時間を表示するための表示部とを備えることとしたものである。これにより、電池の劣化状態がその残容量データに随時反映される結果、使用可能時間の算出精度が向上する。
【００１０】
請求項２の発明では、電池付近の温度を検出するための温度検出部を更に備え、前記制御部は、前記残容量データを前記検出された温度に従って補正する機能を更に有することとした。これにより、電池付近の温度がその残容量データに随時反映される結果、使用可能時間の算出精度が更に向上する。
【００１１】
請求項３の発明では、前記制御部は、当該携帯電話機の電波状態に応じて必要とされる電池電流の大きさに基づいて当該携帯電話機の使用可能時間を算出する機能を更に有することとした。これにより、携帯電話機の電波状態が反映された更に高精度の使用可能時間が得られる。
【００１２】
また、請求項４の発明に係る携帯電話機は、電池の端子電圧及び電流を測定するための制御部と、測定された端子電圧及び電流を外部装置へ通知しかつ当該外部装置で前記電池の端子電圧に対する当該電池の残容量を示すデータを随時更新しながら算出された当該携帯電話機の使用可能時間の通知を受けるための送受信部と、通知された使用可能時間を表示するための表示部とを備えることとしたものである。これにより、電池の劣化状態がその残容量データに随時反映される結果、使用可能時間の算出精度が向上する。しかも、使用可能時間の算出動作を外部装置で行うこととしたので、携帯電話機自体の消費電力が節減される。
【００１３】
請求項５の発明では、電池付近の温度を検出するための温度検出部を更に備え、前記送受信部は、前記残容量データが前記検出された温度に従って前記外部装置で補正されるように、前記検出された温度を前記外部装置へ通知する機能を更に有することとした。これにより、電池付近の温度がその残容量データに随時反映される結果、使用可能時間の算出精度が更に向上する。
【００１４】
請求項６の発明では、前記送受信部は、当該携帯電話機の電波状態に応じて必要とされる電池電流の大きさに基づいて当該携帯電話機の使用可能時間が前記外部装置で算出されるように、当該携帯電話機の電波状態を前記外部装置へ通知する機能を更に有することとした。これにより、携帯電話機の電波状態が反映された更に高精度の使用可能時間が得られる。
【００１５】
一方、上記第２の目的を達成するために、請求項７の発明に係る携帯電話機は、電池の残り使用可能容量の大きさに応じてユーザデータのバックアップ作業の頻度が低減されるように制御するための制御部を備えることとしたものである。ユーザデータのバックアップ作業の頻度が低減されることにより、電池の消耗が抑制される結果、使用可能時間が延長される。
【００１６】
請求項８の発明では、前記制御部は、電池の使用可能容量がバックアップ作業に必要な容量より十分に大きい場合には当該バックアップ作業を延期する機能を有することとした。これにより、ユーザデータのバックアップが一括して行われることとなり、電池の消耗が抑制される。
【００１７】
請求項９の発明に係る携帯電話機は、前記ユーザデータのバックアップ先を、当該携帯電話機の内部メモリ、加入者情報を管理するホームメモリ、当該ホームメモリ以外の外部メモリの中から選択できるように構成されたものである。これにより、更に携帯電話機の使い勝手が向上する。
【００１８】
請求項１０の発明では、前記制御部は、前記ユーザデータのバックアップ先のメモリ残容量が不足する場合には、前記ユーザデータ中の不要なデータを検索・削除する機能を更に有することとした。これにより、メモリ残容量が不十分であるためにバックアップが行われず、必要なデータが失われてしまうという事態を防ぐことができる。
【００１９】
【発明の実施の形態】
以下、本発明の実施の形態を、図面を参照しながら詳細に説明する。
【００２０】
図１は、本発明に係る携帯電話機の構成例を示している。図１の携帯電話機１は、アンテナ２、送受信部３、制御部４、表示部５、電池６、温度検出部７を備えている。送受信部３は、制御部４の出力信号を変調してアンテナ２を介して送信するとともに、アンテナ２から入力される信号を復調して制御部４に供給する。制御部４は、待ち受けや通話の制御を行うほかに、当該携帯電話機１の使用可能時間の算出及びユーザデータのバックアップ処理を行う。この制御部４は、ユーザデータが一旦登録される揮発性メモリに加えて、当該ユーザデータのバックアップ先の１つである不揮発性の内部メモリ４ａを持つ。内部メモリ４ａは例えばフラッシュメモリである。表示部５は、制御部４から入力された電話番号等の情報を表示するほかに、制御部４で算出された使用可能時間を表示する。電池６は、当該携帯電話機１の全体に電力を供給するものである。温度検出部７は、電池６の付近の温度を検出し、この温度を表す信号を制御部４に供給する。更に、不揮発性の外部メモリ８が制御部４に脱着可能に接続されるようになっている。この外部メモリ８は、ユーザデータのバックアップ先の他の１つである。
【００２１】
図２は、図１の携帯電話機１を用いた移動体通信ネットワークの概念図である。図２において、１０は無線回線、１１は無線基地局である。１２は移動体通信制御局であり、複数の無線基地局１１を制御する。１３は共通線信号網であり、移動体通信制御局１２どうしを結ぶ。１４はホームメモリであり、多数の携帯電話機の加入者情報を管理する。ホームメモリ１４は、携帯電話機１を持った加入者がいずれの無線基地局１１のエリア内へ移動しても使えるようになっており、ユーザデータのバックアップ先の更に他の１つである。
【００２２】
さて、図１中の電池６には、当該電池６が使用可能かどうかを分ける閾電圧Ｖｏｆｆが存在する。電池６の端子電圧Ｖが閾電圧Ｖｏｆｆとなった時点では、当該電池６の容量はわずかに残っている。ところが、電池６の端子電圧Ｖが閾電圧Ｖｏｆｆを下回ると、急激に端子電圧Ｖの低下が激しくなり、過放電を起こす可能性があるため、この容量は使用不可能である。つまり、電池６の端子電圧Ｖが閾電圧Ｖｏｆｆに達したときに当該電池６は電圧の供給が不可能となり、電池６の端子電圧Ｖが閾電圧Ｖｏｆｆとなるまでに使用した電池６の容量が使用可能容量である。一般に、電池６は劣化や温度変化に起因して使用可能容量が変化する。
【００２３】
図３は、電池６の劣化に起因した特性変化の例を示している。実線は劣化が起こっていない場合の端子電圧・使用容量特性であり、使用可能容量はＱ１である。破線は軽度の劣化が起こった場合の特性であり、使用可能容量はＱ２である。一点鎖線は重度の劣化が起こった場合の特性であり、使用可能容量はＱ３である。ここで、Ｑ１＞Ｑ２＞Ｑ３であり、劣化が進むほど電池６の使用可能容量は減少する。
【００２４】
図４は、電池６の温度変化に起因した特性変化の例を示している。実線は常温時の端子電圧・使用容量特性であり、使用可能容量はＱ４である。破線は低温時の特性であり、使用可能容量はＱ５である。ここで、Ｑ４＞Ｑ５であり、低温時は常温時に比べて電池６の使用可能容量が減少する。
【００２５】
以下、図１の携帯電話機１における使用可能時間表示及びユーザデータのバックアップについて、順次詳細に説明する。なお、ユーザデータのバックアップ先は、内部メモリ４ａ、外部メモリ８、ホームメモリ１４の中から適宜選択できるようになっている。
【００２６】
図５は、図１の携帯電話機１で使用可能時間を算出する場合の制御部４における処理のフロー図である。図５中の１００は、電池６の端子電圧Ｖ（ｎ）及び電流Ｉ（ｎ）を測定するステップである。１０１は、単位時間ｔごとの使用容量ΔＱ（ｎ）（＝Ｉ（ｎ）×ｔ）を算出するステップである。ここで、単位時間ｔは再びステップ１００に戻るまでにかかる時間である。１０２は、電池６の残容量Ｑ（ｎ）（＝Ｑ（ｎ−１）−ΔＱ（ｎ））を算出するステップである。１０３は、電池６の端子電圧Ｖに対する当該電池６の残容量Ｑを示すデータを更新し、かつこれを温度検出部７で検出された温度に従って電池６の電圧変化率ｋを用いて補正（図４参照）するステップである。このステップ１０３の結果を図６に示す。なお、図６中のＶ（０）、Ｑ（０）は電池６の充電直後の初期値である。
【００２７】
図５中の１０４は、前回記録された電池６の端子電圧Ｖに対する当該電池６の残容量Ｑを示す温度補正済みのデータから、電池６が使用不可能となる閾電圧Ｖｏｆｆに対する当該電池６の閾残容量Ｑｏｆｆを求め、電池６の残り使用可能容量Ｑ＊（ｎ）（＝Ｑ（ｎ）−Ｑｏｆｆ）を算出するステップである。１０５は、使用可能時間Ｔ（ｎ）（＝Ｑ＊（ｎ）／Ｉ）を求めるステップである。このとき、必要電流Ｉはどの表示モードになっているか（待ち受け、通話、メール受信、メール送信、インターネット接続ほか）及び現時点での電波状態より求められる。図７は、このステップ１０５において参照される電流テーブルを表している。なお、図７中のバックアップモードについては後述する。
【００２８】
図５中の１０６は、表示部５に使用可能時間Ｔ（ｎ）を出力するステップである。以後、ステップ１００からステップ１０６の動作を繰り返す。
【００２９】
以上のように、図５の処理によれば、携帯電話機１内の電池６の端子電圧Ｖに対する当該電池６の残容量Ｑを示すデータを随時更新することにより、当該携帯電話機１で使用可能時間Ｔ（ｎ）を正確に算出し、かつ表示することが可能である。
【００３０】
図１の携帯電話機１に代わって、図２中の無線基地局１１が上記使用可能時間の算出処理を実行することもできる。
【００３１】
図８は、図２中の無線基地局１１で使用可能時間を算出する場合の携帯電話機１の制御部４における処理のフロー図である。図８中の２００は、電池６の端子電圧Ｖ（ｎ）及び電流Ｉ（ｎ）を測定するステップである。２０１は、測定した電池６の端子電圧Ｖ（ｎ）及び電流Ｉ（ｎ）、温度検出部７で検出された温度、並びに当該携帯電話機１の電波状態を送受信部３に出力することにより、これらを無線基地局１１へ通知するステップである。２０２は、無線基地局１１で算出された使用可能時間Ｔ（ｎ）を送受信部３が受信したかどうかの判断を行うステップである。２０３は、ステップ２０２で使用可能時間Ｔ（ｎ）が受信されたと判断された場合に、表示部５に使用可能時間Ｔ（ｎ）を出力するステップである。以後、ステップ２００からステップ２０３の動作を繰り返す。
【００３２】
図９は、図２中の無線基地局１１で使用可能時間を算出する場合の当該無線基地局１１における処理のフロー図である。図９中の３００は、携帯電話機１が送信した電池６の端子電圧Ｖ（ｎ）及び電流Ｉ（ｎ）、温度検出部７で検出された温度、並びに当該携帯電話機１の電波状態の各情報を受信するステップである。３０１〜３０５は、図５中のステップ１０１〜１０５に相当するステップである。ただし、電池６の端子電圧Ｖに対する当該電池６の残容量Ｑを示すデータは、ホームメモリ１４に記録される。３０６は、携帯電話機１の送受信部３に使用可能時間Ｔ（ｎ）を送信するステップである。
【００３３】
以上のように、図８及び図９の処理によれば、ホームメモリ１４に記録されている電池６の端子電圧Ｖに対する当該電池６の残容量Ｑを示すデータを随時更新することにより、無線基地局１１で使用可能時間Ｔ（ｎ）を正確に算出し、かつこれを携帯電話機１の表示部５に表示することが可能である。
【００３４】
図１０は、図１の携帯電話機１でユーザデータのバックアップ処理を行う場合の制御部４における処理のフロー図である。図１０中の４００〜４０４は、図５中のステップ１００〜１０４に相当するステップである。４０５は、ユーザデータのバックアップを行うのに必要な電池容量Ｑｂａｃｋｕｐ（＝Ｉｂａｃｋｕｐ×Ｔｂａｃｋｕｐ）を算出するステップである。このとき、バックアップ必要な電流Ｉｂａｃｋｕｐ及び時間Ｔｂａｃｋｕｐは、ユーザデータのバックアップ先が内部メモリ４ａ、ホームメモリ１４、その他の外部メモリ８のうちのいずれであるか、及び現時点の電波状態より求められる。ある電波状態に対する各バックアップモードの必要電流の大きさは、図７に示したとおりである。
【００３５】
図１０中の４０６は、電池６の残り使用可能容量Ｑ＊（ｎ）がバックアップを行うのに必要な容量Ｑｂａｃｋｕｐより十分に大きいかを判断するステップである。４０７は、電池６の残り使用可能容量Ｑ＊（ｎ）がバックアップ必要容量Ｑｂａｃｋｕｐとほぼ等しくなった場合に、ユーザデータのバックアップ作業を行うステップである。ステップ４０６で残り使用可能容量Ｑ＊（ｎ）が十分に大きいと判断された場合には、バックアップ作業を延期してステップ４００に戻り、ステップ４００からステップ４０６の動作を繰り返す。このように、制御部４は、電池６の消耗が抑制されるように、当該電池６の残り使用可能容量Ｑ＊（ｎ）の大きさに応じてユーザデータのバックアップ作業の頻度が低減されるように制御する。
【００３６】
図１１は、図１０中のバックアップ作業のステップ４０７の詳細フロー図である。図１１中の５００は、バックアップを内部メモリ４ａで行うか、ホームメモリ１４又は外部メモリ８で行うか判断を行うステップである。５０１は、ステップ５００でバックアップを内部メモリ４ａで行うと判断された場合に、内部メモリ４ａの残容量がバックアップすべきユーザデータ（バックアップデータ）の容量以上であるか判断するステップである。５０２は、ステップ５０１で内部メモリ４ａの残容量がバックアップデータの容量以上であると判断された場合に、内部メモリ４ａにバックアップデータを出力するステップである。５０３は、ステップ５０１で内部メモリ４ａの残容量がバックアップデータの容量よりも小さいと判断された場合に、内部メモリ４ａ内の不要なデータを削除するステップである。内部メモリ４ａ内の不要なデータを削除する処理の詳細は後述する。５０４は、バックアップが可能となったかを判断するステップである。バックアップ可能であると判断された場合、ステップ５０２で内部メモリ４ａにバックアップデータを出力する。５０５は、ステップ５０４でバックアップ不可能であると判断された場合に、バックアップ不可能であることを伝えるメッセージを表示部５に出力するステップである。
【００３７】
図１１中の５０６は、ステップ５００でバックアップを内部メモリ４ａで行わないと判断された場合に、ホームメモリ１４で行うか、それ以外の外部メモリ８で行うかを判断を行うステップである。５０７は、ステップ５０６で外部メモリ８で行うと判断された場合に、当該外部メモリ８の残容量がバックアップデータの容量以上であるか判断するステップである。５０８は、ステップ５０７で外部メモリ８の残容量がバックアップデータの容量以上であると判断された場合に、外部メモリ８にバックアップデータを出力するステップである。５０９は、ステップ５０６で外部メモリ８の残容量がバックアップデータの容量よりも小さいと判断された場合に、外部メモリ８内のデータを削除してよいかを判断するステップである。５１０は、ステップ５０９で外部メモリ８内のデータを削除してよいと判断された場合に、当該外部メモリ８内のデータを削除するステップである。５１１は、バックアップ可能となったかを判断するステップである。バックアップ可能であると判断された場合、ステップ５０８で外部メモリ８にバックアップデータを出力する。５１２は、ステップ５０９で外部メモリ８内のデータを削除しないと判断された場合、又はステップ５１１でバックアップ不可能であると判断された場合に、バックアップ不可能であることを伝えるメッセージを表示部５に出力するステップである。５１３は、ステップ５０６でバックアップをホームメモリ１４で行うと判断された場合に、バックアップデータを送受信部３に出力するステップである。送受信部３に出力されたバックアップデータはホームメモリ１４に宛てて送信され、保存される。
【００３８】
図１２は、図１１中の不要データ削除ステップ５０３の詳細フロー図である。図１２において、６００は、同じ電話番号が複数登録されているかどうか判断するステップである。６０１は、ステップ６００で同じ電話番号が複数登録されていると判断された場合に、１つだけ残して残りは削除するステップである。６０２は、内部メモリ４ａの残容量がバックアップデータの容量以上であるか判断するステップである。ステップ６０２において内部メモリ４ａの残容量がバックアップデータの容量以上であると判断された場合は、内部メモリ４ａ内の不要なデータを削除する処理を終了する。６０３は、ステップ６０２で内部メモリ４ａの残容量がバックアップデータの容量よりも小さいと判断された場合に、メールの送信履歴の中で保存されていないものがあるかどうか判断するステップである。６０４は、ステップ６０３でメールの送信履歴の中で保存されていないものがあると判断された場合に、保存されていないメールの送信履歴を削除するステップである。これにより、内部メモリ４ａ内の不要なデータが削除される。ステップ６０３で保存されていないメールの送信履歴がないと判断された場合は、不要なデータを削除する処理を終了する。以上のように、図１２の処理によれば、内部メモリ４ａの残容量が不足する場合にはユーザデータ中の不要なデータを検索・削除することとしたので、バックアップに必要なメモリ残容量を確保することが可能となる。
【００３９】
図１の携帯電話機１に代わって、図２中の無線基地局１１が上記バックアップ判定処理を実行することもできる。
【００４０】
図１３は、図２中の無線基地局１１でユーザデータのバックアップ判定処理を行う場合の携帯電話機１の制御部４における処理のフロー図である。図１３中の７００は、電池６の端子電圧Ｖ（ｎ）及び電流Ｉ（ｎ）を測定するステップである。７０１は、測定した電池６の端子電圧Ｖ（ｎ）及び電流Ｉ（ｎ）、温度検出部７で検出された温度、並びに携帯電話機１の電波状態を送受信部３に出力することにより、これらを無線基地局１１へ通知するステップである。７０２は、無線基地局１１が送信した「継続使用可能情報」を送受信部３が受信したかどうかの判断を行うステップである。ステップ７０２で継続使用可能情報が受信されたと判断された場合、ステップ７００に戻り、ステップ７００からステップ７０２までの動作を繰り返す。７０３は、ステップ７０２で継続使用可能情報が受信されていないと判断された場合、無線基地局１１が送信した「バックアップ命令」を送受信部３が受信したかどうかの判断を行うステップである。ステップ７０３でバックアップ命令が受信されていないと判断された場合、ステップ７０２に戻る。７０４は、ステップ７０３でバックアップ命令が受信されたと判断された場合に、バックアップ作業を行うステップである。バックアップ作業の詳細は図１１及び図１２のとおりである。
【００４１】
図１４は、図２中の無線基地局１１でユーザデータのバックアップ判定処理を行う場合の当該無線基地局１１における処理のフロー図である。図１４中の８００〜８０４は、図９中のステップ３００〜３０４に相当するステップである。電池６の端子電圧Ｖに対する当該電池６の残容量Ｑを示すデータは、ホームメモリ１４に記録される。図１４中の８０５〜８０６は、図１０中のステップ４０５〜４０６に相当するステップである。図１４中の８０７は、電池６の残り使用可能容量Ｑ＊（ｎ）がバックアップ必要容量Ｑｂａｃｋｕｐとほぼ等しくなった場合に、携帯電話機１の送受信部３にバックアップ命令を送信するステップである。８０８は、ステップ８０６で残り使用可能容量Ｑ＊（ｎ）が十分に大きいと判断された場合に、バックアップ作業が延期されるように携帯電話機１の送受信部３に継続使用可能情報を送信するステップである。
【００４２】
なお、内部メモリ４ａ内の不要なデータを削除する処理において、図１２では同じ電話番号が複数登録されているもの、保存されていないメールの送信履歴の順に削除を行ったが、使用者の設定により変更可能である。
【００４３】
【発明の効果】
以上説明してきたとおり、本発明によれば、電池の端子電圧に対する当該電池の残容量を示すデータを随時更新しながら使用可能時間を算出し、この算出の結果を表示することとしたので、携帯電話機の使用可能時間を精度良く算出・表示することができる。電池付近の温度を電池残容量データに反映させることとすれば、使用可能時間の算出精度が更に向上する。また、携帯電話機の電波状態に応じて必要とされる電池電流の大きさを考慮することとすれば、更に高精度の使用可能時間が得られる。
【００４４】
また、本発明によれば、電池の残り使用可能容量の大きさに応じてユーザデータのバックアップ作業の頻度が低減されるように制御することとしたので、当該作業に起因した電池の消耗が抑制される結果、携帯電話機の使用可能時間が延長される。
【図面の簡単な説明】
【図１】本発明に係る携帯電話機の構成例を示すブロック図である。
【図２】図１の携帯電話機を用いた移動体通信ネットワークの概念図である。
【図３】図１中の電池の劣化に起因した特性変化の例を示す図である。
【図４】図１中の電池の温度変化に起因した特性変化の例を示す図である。
【図５】図１の携帯電話機で使用可能時間を算出する場合の制御部における処理のフロー図である。
【図６】図５中の電池の端子電圧・残容量のデータの更新・補正ステップの結果を表す図である。
【図７】図５中の使用可能時間の算出ステップにおいて参照される電流テーブルを表す図である。
【図８】図２中の無線基地局で使用可能時間を算出する場合の携帯電話機制御部における処理のフロー図である。
【図９】図２中の無線基地局で使用可能時間を算出する場合の当該無線基地局における処理のフロー図である。
【図１０】図１の携帯電話機でユーザデータのバックアップ処理を行う場合の制御部における処理のフロー図である。
【図１１】図１０中のバックアップ作業のステップの詳細フロー図である。
【図１２】図１１中の内部メモリ内の不要なデータの削除ステップの詳細フロー図である。
【図１３】図２中の無線基地局でユーザデータのバックアップ判定処理を行う場合の携帯電話機制御部における処理のフロー図である。
【図１４】図２中の無線基地局でユーザデータのバックアップ判定処理を行う場合の当該無線基地局における処理のフロー図である。
【符号の説明】
１　携帯電話機
２　アンテナ
３　送受信部
４　制御部
４ａ　内部メモリ
５　表示部
６　電池
７　温度検出部
８　外部メモリ
１０　無線回線
１１　無線基地局
１２　移動体通信制御局
１３　共通線信号網
１４　ホームメモリ
【図１】
2004056563.tif 000003
【図２】
2004056563.tif 000004
【図３】
2004056563.tif 000005
【図４】
2004056563.tif 000006
【図５】
2004056563.tif 000007
【図６】
2004056563.tif 000008
【図７】
2004056563.tif 000009
【図８】
2004056563.tif 000010
【図９】
2004056563.tif 000011
【図１０】
2004056563.tif 000012
【図１１】
2004056563.tif 000013
【図１２】
2004056563.tif 000014
【図１３】
2004056563.tif 000015
【図１４】
2004056563.tif 000016